(57)【要約】【課題】部屋外の物体に関する情報の検出を抑制することができる検出装置、見守りシステムおよび空調システムを提供する。【解決手段】検出装置(１０)は、少なくとも一つの部屋内に設置されて、部屋内に電波を発射すると共に、部屋内の物体で反射された電波から部屋内の物体に関する情報を検出する少なくとも一つのレーダ(１１)と、レーダ(１１)を制御する制御装置(１３)とを備える。制御装置(１３)は、レーダ(１１)が設置されている部屋の種類に対応付けられた距離が、レーダ(１１)による情報の検出が可能な距離の最長値となるように、電波の強度を調整する第１調整部(１３ｂ)を有する。【選択図】図１
2019207206.tif 000002
【特許請求の範囲】
【請求項１】
少なくとも一つの部屋内に設置されて、上記部屋内に電波を発射すると共に、上記部屋内の物体で反射された電波から上記部屋内の物体に関する情報を検出する少なくとも一つのレーダ(１１)と、
上記レーダ(１１)を制御する制御装置(１３，２１３，３１３，４１３，５１３，６１３，７１３)と
を備え、
上記制御装置(１３，２１３，３１３，４１３，５１３，６１３，７１３)は、上記レーダ(１１)が設置されている部屋の種類に対応付けられた距離が、上記レーダ(１１)による上記情報の検出が可能な距離の最長値となるように、上記電波の強度を調整する第１調整部(１３ｂ)を有することを特徴とする検出装置(１０，２１０，３１０，４１０，５１０，６１０，７１０)。
【請求項２】
請求項１に記載の検出装置(２１０)において、
上記制御装置(２１３)は、
上記レーダ(１１)の設置場所を示す信号を上記制御装置(２１３)が受けたとき、上記設置場所が所定の場所と一致するか否かを判定する第１判定部(２１３ｃ)と、
上記第１判定部(２１３ｃ)によって、上記設置場所が上記所定の場所と一致しないと判定されたとき、上記設置場所の変更を促すための報知をするように情報端末に指示する第１指示部(２１３ｄ)と
を有することを特徴とする検出装置(２１０)。
【請求項３】
請求項１または２に記載の検出装置(３１０)において、
上記制御装置(３１３)は、
上記レーダ(１１)の検出方向を示す信号を上記制御装置(３１３)が受けたとき、上記検出方向が所定の方向と一致するか否かを判定する第２判定部(３１３ｅ)と、
上記第２判定部(３１３ｅ)によって、上記検出方向が上記所定の方向と一致しないと判定されたとき、上記検出方向の変更を促すための報知するように情報端末に指示する第２指示部(３１３ｆ)と
を有することを特徴とする検出装置(３１０)。
【請求項４】
請求項１から３までのいずれか一項に記載の検出装置(４１０)において、
上記制御装置(４１３)は、上記部屋の種類に対応付けされた時間は、上記レーダ(１１)による上記情報の検出を禁止する禁止部(４１３ｈ)を有することを特徴とする検出装置(４１０)。
【請求項５】
請求項１から４までのいずれか一項に記載の検出装置(１０，２１０，３１０，４１０，５１０，６１０，７１０)において、
上記物体は人であることを特徴とする検出装置(１０，２１０，３１０，４１０，５１０，６１０，７１０)。
【請求項６】
請求項５に記載の検出装置(５１０)において、
上記制御装置(５１３)は、
上記レーダ(１１)が検出した情報から、人が眠っているか否かを判定する第３判定部(５１３ｉ)と、
上記第３判定部(５１３ｉ)によって人が眠っていると判定され、かつ、上記部屋の種類がリビングルームであるとき、人が仮眠、昼寝または在室しているとの内容を報知するように情報端末に指示する第３指示部(５１３ｊ)と
を有することを特徴とする検出装置(５１０)。
【請求項７】
請求項５または６に記載の検出装置(６１０)において、
上記制御装置(６１３)は、上記部屋が複数あって、上記レーダ(１１)が上記各部屋に設置されている場合、複数の上記レーダ(１１)の全てが上記情報を検出できないとき、人が外出しているとの内容を報知するように情報端末に指示する第４指示部(６１３ｋ)を有することを特徴とする検出装置(６１０)。
【請求項８】
請求項２、３、６または７に記載の検出装置(１０，２１０，３１０，４１０，５１０，６１０，７１０)において、
上記情報端末(３０)は、スマートフォン(３０)またはタブレット端末であることを特徴とする検出装置(１０，２１０，３１０，４１０，５１０，６１０，７１０)。
【請求項９】
請求項１から８までのいずれか一項に記載の検出装置(７１０)において、
上記制御装置(７１３)は、上記レーダ(１１)が複数あるとき、上記レーダ(１１)同士が干渉しないように、上記レーダ(１１)のチャンネルを調整する第２調整部(７１３ｌ)を有することを特徴とする検出装置(７１０)。
【請求項１０】
請求項１から９までのいずれか一項に記載の検出装置(１０，２１０，３１０，４１０，５１０，６１０，７１０)において、
上記レーダ(１１)はドップラーレーダ(１１)であることを特徴とする検出装置(１０，２１０，３１０，４１０，５１０，６１０，７１０)。
【請求項１１】
検出装置(１０，２１０，３１０，４１０，５１０，６１０，７１０)および情報端末(３０)を持つ見守りシステムであって、
上記検出装置(１０，２１０，３１０，４１０，５１０，６１０，７１０)は、
少なくとも一つの部屋内に設置されて、上記部屋内に電波を発射すると共に、上記部屋内の物体で反射された電波から上記部屋内の物体に関する情報を検出する少なくとも一つのレーダ(１１)と、
上記レーダ(１１)を制御する制御装置(１３，２１３，３１３，４１３，５１３，６１３，７１３)と
を備え、
上記制御装置(１３，２１３，３１３，４１３，５１３，６１３，７１３)は、上記レーダ(１１)が設置されている部屋の種類に対応付けられた距離が、上記レーダ(１１)による上記情報の検出が可能な距離の最長値となるように、上記電波の強度を調整する調整部(１３ｂ)を有し、
上記携帯端末(３０)は、上記レーダ(１１)が設置されている部屋の種類を示す信号を上記検出装置(１０，２１０，３１０，４１０，５１０，６１０，７１０)へ送信することを特徴とする見守りシステム。
【請求項１２】
検出装置(１０，２１０，３１０，４１０，５１０，６１０，７１０)および空気調和機を持つ空調システムであって、
上記検出装置(１０，２１０，３１０，４１０，５１０，６１０，７１０)は、
少なくとも一つの部屋内に設置されて、上記部屋内に電波を発射すると共に、上記部屋内の物体で反射された電波から上記部屋内の物体に関する情報を検出する少なくとも一つのレーダ(１１)と、
上記レーダ(１１)を制御する制御装置(１３，２１３，３１３，４１３，５１３，６１３，７１３)と
を備え、
上記制御装置(１３，２１３，３１３，４１３，５１３，６１３，７１３)は、上記レーダ(１１)が設置されている部屋の種類に対応付けられた距離が、上記レーダ(１１)による上記情報の検出が可能な距離の最長値となるように、上記電波の強度を調整する調整部(１３ｂ)を有し、
上記空気調和機は、上記情報を示す信号を受けることを特徴とする空調システム。
【発明の詳細な説明】
【技術分野】
【０００１】
本開示は、検出装置、見守りシステムおよび空調システムに関する。
【背景技術】
【０００２】
従来、検出装置としては、空気調和機の室内ユニットに搭載されたものがある(例えば、特許文献１(特開２０１１−２１２４号公報)参照)。この検出装置は、室内ユニットが設置されている部屋内の人に向けてマイクロ波を出射する。このとき、上記マイクロ波が人に反射されて検出装置に戻ると、検出装置に戻ったマイクロ波に基づいて、人の心拍が検出される。
【先行技術文献】
【特許文献】
【０００３】
【特許文献１】特開２０１１−２１２４号公報
【発明の概要】
【発明が解決しようとする課題】
【０００４】
上記検出装置が出射するマイクロ波は、壁を透過するため、室内ユニットが設置されている部屋を出てしまう。このとき、上記部屋外の人によって反射されたマイクロ波が検出装置に戻ると、部屋外の人の心拍が検出されてしまう。すなわち、上記部屋内に居る人の心拍を検出しようとしても、部屋外に居る人の心拍が誤って検出されてしまうことがある。
【０００５】
このように、上記従来の検出装置には、部屋外の物体に関する情報が誤って検出されてしまうという問題がある。
【０００６】
本開示の課題は、部屋外の物体に関する情報の検出を抑制することができる検出装置、見守りシステムおよび空調システムを提供することにある。
【課題を解決するための手段】
【０００７】
本開示の検出装置は、
少なくとも一つの部屋内に設置されて、上記部屋内に電波を発射すると共に、上記部屋内の物体で反射された電波から上記部屋内の物体に関する情報を検出する少なくとも一つのレーダと、
上記レーダを制御する制御装置と
を備え、
上記制御装置は、上記レーダが設置されている部屋の種類に対応付けられた距離が、上記レーダによる上記情報の検出が可能な距離の最長値となるように、上記電波の強度を調整する第１調整部を有する。
【０００８】
ここで、上記部屋の種類としては、例えば、リビングルーム、ベッドルーム、化粧室、書斎、ウォークインクローゼット、バスルーム、リビングダイニングキッチン(リビングルームとダイニングルームとキッチンルームとが一体になった部屋)など、または、４畳、６畳、８畳、１０畳などがある。すなわち、部屋の種類とは、部屋を用途または広さに基づいて分類して得られる各まとまりを指す。
【０００９】
上記構成によれば、上記第１調整部により、部屋外の物体に関する情報の検出を抑制することができる。
【００１０】
一実施形態の検出装置では、
上記制御装置は、
上記レーダの設置場所を示す信号を上記制御装置が受けたとき、上記設置場所が所定の場所と一致するか否かを判定する第１判定部と、
上記第１判定部によって、上記設置場所が上記所定の場所と一致しないと判定されたとき、上記設置場所の変更を促すための報知をするように情報端末に指示する第１指示部と
を有する。
【００１１】
上記実施形態によれば、上記第１判定部および第１指示部により、設置場所が不適切な状態でレーダが使用させる可能性を下げることができる。
【００１２】
一実施形態の検出装置では、
上記制御装置は、
上記レーダの検出方向を示す信号を上記制御装置が受けたとき、上記検出方向が所定の方向と一致するか否かを判定する第２判定部と、
上記第２判定部によって、上記検出方向が上記所定の方向と一致しないと判定されたとき、上記検出方向の変更を促すための報知をするように情報端末に指示する第２指示部と
を有する。
【００１３】
上記実施形態によれば、上記第２判定部および第２指示部により、検出方向が不適切になっている状態でレーザが使用される可能性を下げることができる。
【００１４】
一実施形態の検出装置では、
上記制御装置は、上記部屋の種類に対応付けされた時間は、上記レーダによる上記情報の検出を禁止する禁止部を有する。
【００１５】
上記実施形態によれば、上記禁止部により、部屋を使用する人のプライバシーを守ることができる。
【００１６】
一実施形態の検出装置では、
上記物体は人である。
【００１７】
上記実施形態によれば、上記物体が人であるので、部屋内の人に関する情報を検出することができる。
【００１８】
一実施形態の検出装置では、
上記制御装置は、
上記レーダが検出した情報から、人が眠っているか否かを判定する第３判定部と、
上記第３判定部によって人が眠っていると判定され、かつ、上記部屋の種類がリビングルームであるとき、人が仮眠、昼寝または在室しているとの内容を報知するように情報端末に指示する第３指示部と
を有する。
【００１９】
上記実施形態によれば、上記第３判定部および第３指示部により、リビングルーム内の人の状態を情報端末で適切に伝えることができる。
【００２０】
一実施形態の検出装置では、
上記制御装置は、上記部屋が複数あって、上記レーダが上記各部屋に設置されている場合、複数の上記レーダの全てが上記情報を検出できないとき、人が外出しているとの内容を報知するように情報端末に指示する第４指示部を有する。
【００２１】
上記実施形態によれば、上記第４指示部により、居住者の外出が分かり易くなる。
【００２２】
一実施形態の検出装置では、
上記情報端末は、スマートフォンまたはタブレット端末である。
【００２３】
上記実施形態によれば、上記情報端末は、スマートフォンまたはタブレット端末であるので、持ち運びが容易である。
【００２４】
一実施形態の検出装置では、
上記制御装置は、上記レーダが複数あるとき、上記レーダ同士が干渉しないように、上記レーダのチャンネルを調整する第２調整部を有する。
【００２５】
上記実施形態によれば、上記第２調整部により、ユーザはレーダのチャンネルを調整しなくて済む。
【００２６】
一実施形態の検出装置では、
上記レーダはドップラーレーダである。
【００２７】
上記実施形態によれば、上記物体が例えば人である場合、ドップラーレーダにより、暗闇でも人の体動、心拍、呼吸などの生体情報を検知することができる。
【００２８】
本開示の空調システムは、
検出装置および情報端末を持つ見守りシステムであって、
上記検出装置は、
少なくとも一つの部屋内に設置されて、上記部屋内に電波を発射すると共に、上記部屋内の物体で反射された電波から上記部屋内の物体に関する情報を検出する少なくとも一つのレーダと、
上記レーダを制御する制御装置と
を備え、
上記制御装置は、上記レーダが設置されている部屋の種類に対応付けられた距離が、上記レーダによる上記情報の検出が可能な距離の最長値となるように、上記電波の強度を調整する調整部を有し、
上記情報端末は、上記レーダが設置されている部屋の種類を示す信号を上記検出装置へ送信する。
【００２９】
ここで、上記部屋の種類としては、例えば、リビングルーム、ベッドルーム、化粧室、書斎、ウォークインクローゼット、バスルーム、リビングダイニングキッチン(リビングルームとダイニングルームとキッチンルームとが一体になった部屋)などがある。すなわち、部屋の種類とは、部屋を用途に基づいて分類して得られる各まとまりを指す。
【００３０】
上記構成によれば、上記調整部により、部屋外の物体に関する情報の検出を抑制することができる。
【００３１】
本開示の空調システムは、
検出装置および空気調和機を持つ空調システムであって、
上記検出装置は、
少なくとも一つの部屋内に設置されて、上記部屋内に電波を発射すると共に、上記部屋内の物体で反射された電波から上記部屋内の物体に関する情報を検出する少なくとも一つのレーダと、
上記レーダを制御する制御装置と
を備え、
上記制御装置は、上記レーダが設置されている部屋の種類に対応付けられた距離が、上記レーダによる上記情報の検出が可能な距離の最長値となるように、上記電波の強度を調整する調整部を有し、
上記空気調和機は、上記情報を示す信号を受ける。
【００３２】
ここで、上記部屋の種類としては、例えば、リビングルーム、ベッドルーム、化粧室、書斎、ウォークインクローゼット、バスルーム、リビングダイニングキッチン(リビングルームとダイニングルームとキッチンルームとが一体になった部屋)などがある。すなわち、部屋の種類とは、部屋を用途に基づいて分類して得られる各まとまりを指す。
【００３３】
上記構成によれば、上記調整部により、部屋外の物体に関する情報の検出を抑制することができる。
【図面の簡単な説明】
【００３４】
【図１】本開示の第１実施形態の見守りシステムの模式図である。
【図２】本開示の第１実施形態のセンサユニットの外観斜視図である。
【図３】本開示の第１実施形態のスマートフォンの一表示画面を示す図である。
【図４】上記スマートフォンの一表示画面を示す図である。
【図５】上記スマートフォンの一表示画面を示す図である。
【図６】上記スマートフォンの一表示画面を示す図である。
【図７】上記スマートフォンの一表示画面を示す図である。
【図８】上記スマートフォンの一表示画面を示す図である。
【図９】上記スマートフォンの一表示画面を示す図である。
【図１０】上記スマートフォンの一表示画面を示す図である。
【図１１】上記スマートフォンの一表示画面を示す図である。
【図１２】上記スマートフォンの一表示画面を示す図である。
【図１３】上記スマートフォンの一表示画面を示す図である。
【図１４】本開示の第２実施形態のセンサユニットのブロック図である。
【図１５】本開示の第３実施形態のセンサユニットのブロック図である。
【図１６】本開示の第４実施形態のセンサユニットのブロック図である。
【図１７】本開示の第５実施形態のセンサユニットのブロック図である。
【図１８】本開示の第６実施形態のセンサユニットのブロック図である。
【図１９】本開示の第７実施形態のセンサユニットのブロック図である。
【図２０】本開示の第８実施形態の空調システムの外観図である。
【図２１】上記空調システムのブロック図である。
【発明を実施するための形態】
【００３５】
以下、本開示の実施形態について説明する。なお、図面において、同一の参照番号は、同一部分または相当部分を表わすものである。
【００３６】
〔第１実施形態〕
図１は、本開示の第１実施形態の見守りシステムの概略構成を説明するための模式図である。
【００３７】
上記見守りシステムは、屋内に設置されたセンサユニット１０と、無線アクセスポイント２０と、スマートフォン３０(smartphone：多機能携帯電話)とを備える。なお、センサユニット１０は、検出装置の一例である。また、スマートフォン３０は、情報端末の一例である。
【００３８】
センサユニット１０は、レーダの一例としてのドップラーセンサ１１と、記憶部１２と、制御装置の一例としてのユニット制御部１３と、通信部１４とを備える。
【００３９】
ドップラーセンサ１１はドップラーレーダとも呼ばれる。このドップラーセンサ１１は、家屋内の部屋に設置される。また、ドップラーセンサ１１は、その部屋内に電波を発射すると共に、部屋内の人によって反射された電波に基づいて、部屋内の人に関する情報を検出する。なお、上記人は、物体の一例である。
【００４０】
より詳しく説明すると、ドップラーセンサ１１は、例えばＦＭ−ＣＷ(Frequency Modulated Continuous Wave)方式のドップラーセンサであり、周波数変調されたマイクロ波を部屋内に発射する。このとき、人が部屋内に居てドップラーセンサ１１からのマイクロ波をドップラーセンサ１１に向かって反射したとき、人によって反射されたマイクロ波を示す信号をユニット制御部１３で処理することにより、ドップラーセンサ１１から人までの距離、人の体動、脈拍、呼吸などを検出できるようになっている。なお、上記マイクロ波は、電波の一例である。また、上記距離、体動、脈拍、呼吸などは、部屋内の物体に関する情報の一例である。
【００４１】
記憶部１２には、スマートフォン３０に入力される部屋の種類(例えば、リビングルーム、ベッドルームなど)と、この種類に対応付けされた距離との対を、予め複数記憶させている。例えば、リビングルームはベッドルームよりも広く設計されることが多いので、リビングルームに対応付けた距離Ｌ１と、ベッドルームに対応付けた距離Ｌ２(＜Ｌ１)とを、記憶部１２に予め記憶させる。この記憶部１２は、例えば、フラッシュメモリなどの書き換え可能な不揮発性の半導体メモリの少なくとも一部で構成される。
【００４２】
ユニット制御部１３は、マイクロコンピュータ、入出力回路などからなって、ドップラーセンサ１１、記憶部１２および通信部１４を制御する。このユニット制御部１３は、選択部１３ａと、第１調整部の一例としての調整部１３ｂとを有する。この選択部１３ａおよび調整部１３ｂは、それぞれ、ソフトウェアで構成されている。
【００４３】
選択部１３ａは、ユニット制御部１３が信号を受け、この信号が部屋の種類を示すとき、記憶部１２が記憶する複数の距離の中から、上記信号が示す部屋の種類に対応付けされた距離を選択する。上記信号は、例えば、ユーザがスマートフォン３０で部屋の種類を特定したときに生成される信号であって、スマートフォン３０から無線アクセスポイント２０および通信部１４を介してユニット制御部１３に入る。
【００４４】
調整部１３ｂは、選択部１３ａによって選択された距離が、部屋内の人に関する情報の検出が可能な距離の最長値となるように、ドップラーセンサ１１から部屋内に発射されるマイクロ波の強度を調整する。すなわち、ドップラーセンサ１１の検出距離が調整部１３ｂによって調整される。
【００４５】
通信部１４は、無線アクセスポイント２０に無線で通信接続され、無線アクセスポイント２０を介してスマートフォン３０と通信を行う。より詳しくは、通信アダプタ２０は、例えばＷｉ-Ｆｉ(ワイファイ：ブランド名)の通信規格を用い、無線アクセスポイント２０を介して、スマートフォン３０からの情報を無線で受信したり、スマートフォン３０に情報を無線で送信したりする。
【００４６】
また、通信部１４は、無線アクセスポイント２０およびインターネット網(図示せず)を介して、サーバ(図示せず)とも通信する。これにより、センサユニット１０のファームウェアをアップデートすることも可能になっている。なお、上記インターネット網は、例えば、電気通信網と光通信網との少なくとも一方からなる。
【００４７】
スマートフォン３０は、表示部および操作部として機能するタッチパネル３１を有する。このスマートフォン３０には、センサユニット１０を制御するためのアプリが例えばサーバ(図示せず)からダウンロードされてインストールされている。
【００４８】
また、スマートフォン３０は、屋内にあるとき、無線アクセスポイント２０を介して通信部１４と通信するが、屋外にあるとき、無線アクセスポイント２０およびインターネット網を介して、通信部１４と通信する。
【００４９】
図２は、センサユニット１０を斜め上方から見た概略図である。
【００５０】
センサユニット１０は、ユニット本体１０１と、このユニット本体１０１を支持する固定支柱１０２と、固定支柱１０２の下端が固定された円錐台状の据付部１０３とを備える。
【００５１】
ユニット本体１０１は、円錐形状のケーシング１１１と、このケーシング１１１の一端側に取り付けられたカバー部材１１２とを有する。このユニット本体１０１内のドップラーセンサ１１から発射されたマイクロ波は、カバー部材１１２を透過して部屋内の人に当たることが可能である。
【００５２】
ここで、ケーシング１１１の中心軸に沿ってケーシング１１１の他端側からケーシングの一端側に向かう方向が、ドップラーセンサ１１の検出方向となる。
【００５３】
また、カバー部材１１２を介して発射されるマイクロ波は、ケーシング１１１の側面を延長した仮想面で囲まれる領域を進む。すなわち、上記マイクロ波の広がりはカバー部材１１２で規制されている。
【００５４】
以下、屋内に３つのセンサユニット１０を設置したとき、各センサユニット１０の検出距離を調整する方法について説明する。
【００５５】
まず、図１のスマートフォン３０にインストールしたアプリを立ち上げた後、ユーザＩＤ(identification)とパスワードを入力してログインする。これにより、スマートフォン３０のタッチパネル３１が、図３に示すように、設定ボタンＢ１〜Ｂ３と、戻るボタンＢ４と、更新ボタンＢ５と、編集ボタンＢ６とをソフトキーとして表示する。このとき、設定ボタンＢ１〜Ｂ３の左側方には、設定ボタンＢ１〜Ｂ３に対応するセンサユニット１０のＳＳＩＤ(service set identifier)が表示される。なお、編集ボタンＢ６はタッチを受け付けない状態になっており、編集ボタンＢ６をタッチしてもタッチパネル３１の画面は変化しない。
【００５６】
また、タッチパネル３１の画面の下端部には、「設定完了」の文字を表示する表示部Ｄ１が位置する。この表示部Ｄ１は、編集ボタンＢ６と同様にタッチを受け付けない状態になっており、表示部Ｄ１の「設定完了」の部分をタッチしてもタッチパネル３１の画面は変化しない。
【００５７】
次に、例えば設定ボタンＢ１をタッチすると、タッチパネル３１の画面が、図４に示すように、「CAT-ATS0041」のＳＳＩＤを持つセンサユニット１０(以下、「設定対象のセンサユニット１０」と言う。)に関する情報を入力するための画面に切り替わる。この画面では、表示部Ｄ２〜Ｄ４が上側から下側に順に並んでいる。
【００５８】
表示部Ｄ２は、「名称」，「お部屋の名前を入力」，「各お部屋で区別するため、名称を設定してください」および「例：リビング、ベッドルームなど」の文字を表示する。この表示部Ｄ３の「お部屋の名前を入力」の部分をタッチすると、例えばソフトウェアキーが現れて、設定対象のセンサユニット１０が設置されている部屋(以下、「設置部屋」と言う。)の名前の入力が可能になる。
【００５９】
表示部Ｄ３は、「お部屋アイコンを選択」および「未設定」の文字を表示する。この表示部Ｄ３の「未設定」の部分をタッチすると、後述するように、設置部屋の種類を設定することが可能となる。
【００６０】
表示部Ｄ４は、「詳細設定」および「アプリをより快適にご利用いただくために、必ず詳細設定を行ってください」の文字を表示する。
【００６１】
また、タッチパネル３１の画面の下端部には、「登録」の文字を表示する表示部Ｄ５が位置する。このとき、表示部Ｄ５はタッチを受け付けない状態となっており、「登録」の部分をタッチしてもタッチパネル３１の画面は変化しない。
【００６２】
次に、例えば表示部Ｄ３の「未設定」の部分をタッチすると、図５に示すように、お部屋アイコンＩ１〜Ｉ３がタッチパネル３１の画面に現れる。このとき、お部屋アイコンＩ１〜Ｉ３はいずれも未選択状態であるため、お部屋アイコンＩ１〜Ｉ３内の背景色は白色となる。
【００６３】
お部屋アイコンＩ１は、上記設置部屋の種類をリビングルームに設定するとき、タッチされる。このお部屋アイコンＩ１は、リビングルームをユーザにイメージさせるために、ソファ、テレビなどの絵を含んでいる。
【００６４】
お部屋アイコンＩ２は、上記設置部屋の種類をベッドルームに設定するとき、タッチされる。また、お部屋アイコンＩ２は、ベッドルームをユーザにイメージさせるために、ベッドなどの絵を含んでいる。
【００６５】
お部屋アイコンＩ３は、上記設置部屋の種類をリビングルームおよびベッドルーム以外のものに設定するとき、タッチされる。また、アイコンＩ３は、リビングルームおよびベッドルーム以外の部屋をユーザにイメージさせるために、テレビ、勉強机などの絵を含んでいる。
【００６６】
次に、例えばお部屋アイコンＩ１をタッチすると、タッチパネル３１の画面は、図６に示す画面に切り替わる。この画面では、表示部Ｄ３が「お部屋アイコンを選択」および「リビングルーム」を表示する。これにより、上記設置部屋の種類が「リビングルーム」に設定されていることを文字で容易に確認することが可能となる。
【００６７】
次に、表示部Ｄ２の「お部屋の名前を入力」の部分をタッチして、ソフトウェアキーボードで「リビングルーム」と入力すると、表示部Ｄ２は、図７に示すように、リビングルーム」の文字を表示する。これに伴い、表示部Ｄ５は、タッチを受け付ける状態となる。
【００６８】
ここで、表示部Ｄ３の「リビングルーム」の部分をタッチすると、タッチパネル３１は、図８に示す画面を表示する。このとき、お部屋アイコンＩ１内の背景色は白色以外の色(例えば青色)である一方、お部屋アイコンＩ２，Ｉ３内の背景色は白色である。これにより、上記設置部屋の種類が「リビングルーム」に設定されていることをアイコン内の背景の色で容易に確認すること可能となる。
【００６９】
また、図８の画面へのタッチ操作により、上記設置部屋の種類の設定を変更することが可能となっている。例えばお部屋アイコンＩ２をタッチすると、お部屋アイコンＩ１内の背景色が白色に変化すると共に、お部屋アイコンＩ２内の背景色が白色以外の色に変化する。すなわち、上記設置部屋の種類の設定が「ベッドルーム」に変更される。なお、お部屋アイコンＩ２へのタッチがあっても、お部屋アイコンＩ３内の背景色は白色から変化しない。
【００７０】
次に、図７の画面において、表示部Ｄ５の「登録」の部分をタッチすると、タッチパネル３１の画面は、図９に示す画面に切り替わり、表示部Ｄ１は、タッチを受け付ける状態となる。この画面では、上記設置部屋の種類の設定を変更するための設定変更ボタンＢ７が表示される。すなわち、設定変更ボタンＢ７をタッチすると、図７の画面に戻れるようになっている。
【００７１】
また、設定変更ボタンＢ７の左側方には、設定対象のセンサユニット１０のＳＳＩＤである「CAT-ATS0041」の他に、「リビングルーム」の文字も表示される。
【００７２】
また、図３の「CAT-ATS0043」および設定ボタンＢ３は、画面スクロールにより、タッチパネル３１の画面に表示させることが可能となっている。
【００７３】
最後に、表示部Ｄ１の「設定完了」の部分をタッチする。そうすると、上述の操作によって生成された信号が、無線アクセスポイント２０および通信部１４を介して、センサユニット１０のユニット制御部１３に入る。すなわち、ユニット制御部１３は、上記設置部屋の種類が「リビングルーム」であることを示す信号を受ける。このとき、選択部１３ａは、記憶部１２が記憶する複数の距離の中から、「リビングルーム」に対応付けされた距離を選択する。そして、調整部１３ｂは、選択部１３ａによって選択された距離が、ドップラーセンサ１１による情報(ドップラーセンサ１１から人までの距離、人の体動、脈拍、呼吸など)の検出が可能な距離の最長値となるように、上記設置部屋内に発射されるマイクロ波の強度を調整する。その結果、上記設置部屋の広さと相関がある上記設置部屋の種類に対応付けされた距離を、ドップラーセンサ１１による情報の検出が可能な距離の最長値とすることができる。したがって、上記設置部屋外の人に反射されたマイクロ波がドップラーセンサ１１に到達する可能性を下げることができるので、上記設置部屋外の人に関する情報の検出を抑制することができる。
【００７４】
また、上述の操作と同様の操作を行うことにより、「CAT-ATS0042」，「CAT-ATS0043」のＳＳＩＤを持つセンサユニット１０から出射されるマイクロ波の強度も適切に調整することができる。
【００７５】
また、ドップラーセンサ１１を用いることにより、暗闇でも人の体動、心拍、呼吸などの生体情報を検知することができる。
【００７６】
また、上記設置部屋内に人が居ることをドップラーセンサ１１で検出したとき、タッチパネル３１の画面は、図１０に示す画面と同様の画面を表示することができる。
【００７７】
図１０の画面には、アイコンＩ４と、このアイコンＩ４の上側に配置された表示部Ｄ６と、アイコンＩ４の下側に配置された表示部Ｄ７，Ｄ８とが表示される。
【００７８】
アイコンＩ４は、人の絵と、「在室中」の文字とを含む。これにより、ユーザに人の在室を絵および文字で分かり易く伝えることができる。
【００７９】
表示部Ｄ６の「２７℃／３０％」で室内温度と室内湿度との関係を知ることができると共に、表示部Ｄ６の「１８℃」で室外温度を知ることができる。なお、スマートフォン３０が室内温度センサおよび室内湿度センサからの信号を受けていないときは、「２７℃／３０％」のような表示はされない。これと同様に、スマートフォン３０が室外温度センサからの信号を受けていないときは、「１８℃」のような表示もされない。
【００８０】
表示部Ｄ７は、センサユニット１０で検出した人の睡眠時間を表示する。なお、図３〜図９で説明したような操作を行った直後であれば、人の睡眠時間は表示されない。
【００８１】
表示部Ｄ８は、センサユニット１０で検出した人の不在時間を表示する。なお、表示部Ｄ７と同様に、図３〜図９で説明したような操作を行った直後であれば、人の不在時間は表示されない。
【００８２】
また、上記設置部屋内に人が居ないことをドップラーセンサ１１で検出されると、タッチパネル３１の画面は、図１１に示す画面と同様の画面を表示することができる。
【００８３】
図１１の画面には、アイコンＩ４とは異なる絵および文字を含むアイコンＩ５が表示される。
【００８４】
アイコンＩ５は、人の絵を含まず、「不在中」の文字を含む。これにより、ユーザに人の不在を絵および文字で分かり易く伝えることができる。
【００８５】
また、図４，図６，図７の表示部Ｄ４の「アプリをより快適にご利用いただくために、必ず詳細設定を行ってください」の文字」の部分をタッチすることにより、タッチパネル３１の画面を、図１２に示すような画面に切り替えることができる。
【００８６】
図１２の画面は、センサユニット１０を詳細に設定するための表示部Ｄ９〜Ｄ１２が表示される。
【００８７】
表示部Ｄ９は、「センサーチャンネル」および「チャンネル０」を表示する。これは、センサユニット１０のチャンネルが「０」に設定されていることを意味する。
【００８８】
表示部Ｄ１０は、「高温防止運転機能」および「室内が高温になったとき、自動で冷房運転を行います」の文字と、スライドスイッチの絵とを表示する。この絵にタッチすることにより、高温防止運転機能をオンオフすることができるようになっている。なお、センサユニット１０およびスマートフォン３０が、室内を冷房する運転で可能な空気調和機と通信できない場合、高温防止運転機能はオンオフできない。
【００８９】
表示部Ｄ１１は、「おやすみ制御機能」および「眠りに入ったのを検知したとき、おやすみに適した快適空調を行います」の文字と、スライドスイッチの絵とを表示する。この絵にタッチすることにより、おやすみ制御機能をオンオフすることができるようになっている。なお、センサユニット１０およびスマートフォン３０が、例えば室内温度を調整することが可能な空気調和機と通信できないとき、おやすみ制御機能はオンオフできない。
【００９０】
表示部Ｄ１２は、「センサーの検知範囲」、「センサーで検知できる範囲を変更することができます」および「＊距離は目安であり、正確な数値を示すものではありません。」と、スライドバーの絵とを表示する。この絵にタッチすることによりドップラーセンサ１１による情報(ドップラーセンサ１１から人までの距離、人の体動、脈拍、呼吸など)の検出が可能な距離を変更することができる。すなわち、お部屋アイコンＩ１〜Ｉ３を選択することで設定された距離を、上記スライドバーの絵にタッチすることで修正することができる。
【００９１】
上記第１実施形態では、設置部屋の種類として、リビングルーム、ベッドルームなどを選択できるようにしていたが、設置部屋の種類として、４畳、６畳、８畳、１０畳などを選択できるようにしてもよい。このようにする場合、４畳、６畳、８畳、１０畳などのうちの一つが選択されたとき、この一つに予め対応付けられた強度となるように、ドップラーセンサ１１のマイクロ波の強度が自動的に調整されてもよい。
【００９２】
上記第１実施形態では、見守りシステムは、スマートフォン３０を情報端末の一例として備えていたが、例えば、タブレット端末、デスクトップパソコンなどを情報端末の一例として備えてもよい。すなわち、本開示の情報端末は、スマートフォン３０、タブレット端末などのように、携帯が容易なものであってもよいし、デスクトップパソコンのように、携帯が困難なものであってもよい。
【００９３】
上記第１実施形態では、通信部１４は、無線アクセスポイント２０に無線で通信接続されていたが、無線アクセスポイント２０に有線で通信接続されるようにしてもよい。
【００９４】
上記第１実施形態では、通信部１４は、無線アクセスポイント２０を介してインターネット網に接続されていたが、無線アクセスポイント２０を介さずにインターネット網に接続されるようにしてもよい。
【００９５】
上記第１実施形態では、部屋の種類と、この種類に対応付けされた距離との対は、記憶部１２に、予め複数記憶させていたが、例えば、スマートフォン３０、サーバなどの記憶部に、予め複数記憶させてもよい。
【００９６】
上記第１実施形態では、ドップラーセンサ１１は、マイクロ波を出射していたが、例えばミリ波を出射するようにしてもよい。
【００９７】
上記第１実施形態では、ドップラーセンサが情報を検出する対象は、人であったが、例えば、ペット、ロボット掃除機などであってもよい。
【００９８】
上記第１実施形態では、レーダの一例としてＦＭ−ＣＷ方式のドップラーセンサ１１を用いたが、他のレーダを用いてもよい。ここで、上記他のレーダとしては、パルスレーダ、ＣＷ(Continuous Wave)レーダ、ＦＭ−ＣＷレーダ、ＦＭ−ＣＷ方式以外の方式のドップラーレーダなどがある。
【００９９】
上記第１実施形態では、選択部１３ａおよび調整部１３ｂは、それぞれ、ソフトウェアで構成されていたが、少なくとも一方が、ハードウェアで構成されるようにしてもよい。
【０１００】
上記第１実施形態では、スマートフォン３０は、無線アクセスポイント２０を介して通信部１４と、信号の送受信を行っていたが、Bluetooth(登録商標)の通信を行うことにより、通信部１４と信号の送受信を直接行ってもよい。
【０１０１】
上記第１実施形態では、上記設置部屋の種類を指定した後、上記設置部屋の名前を入力していたが、上記設置部屋の名前を入力した後、上記設置部屋の種類を指定してもよい。
【０１０２】
上記第１実施形態では、上記設置部屋の種類の設定するとき、タッチパネル３１の画面に、お部屋アイコンＩ１〜Ｉ３を表示させていたが、図１３に示すように、見取り図を表示させてもよい。このようにする場合、ユーザは、見取り図において上記設置部屋に対応する部分をタッチする。なお、上記見取り図は、ユーザが例えばデジタルカメラで作成するものであってもよいし、サーバからダウンロードするものであってもよい。
【０１０３】
上記第１実施形態では、上記設置部屋の種類の設定するとき、タッチパネル３１の画面に、お部屋アイコンＩ１〜Ｉ３を表示させていたが、部屋の種類を文字だけで表示してもよい。
【０１０４】
〔第２実施形態〕
図１４は、本開示の第２実施形態のセンサユニット２１０のブロック図である。なお、以下の説明において、上記第１実施形態の構成部と同一構成部は、上記第１実施形態の構成部の参照番号と同一参照番号を付す。
【０１０５】
センサユニット２１０は、上記第１実施形態とは異なる記憶部２１２およびユニット制御部２１３を備えている。なお、センサユニット２１０は、検出装置の一例である。また、ユニット制御部２１３は、制御装置の一例である。
【０１０６】
記憶部２１２には、記憶部１２と同様に、スマートフォン３０に入力される部屋の種類と、この種類に対応付けされた距離との対を、予め複数記憶させている。また、記憶部２１２には、後述する判定部２１３ｃの判定の基準となる所定の場所(例えば、部屋の角部など)を予め記憶させている。また、記憶部２１２は、例えば、フラッシュメモリなどの書き換え可能な不揮発性の半導体メモリの少なくとも一部で構成される。
【０１０７】
ユニット制御部２１３は、マイクロコンピュータ、入出力回路などからなって、ドップラーセンサ１１、記憶部２１２および通信部１４を制御する。このユニット制御部２１３は、選択部１３ａと、調整部１３ｂと、第１判定部の一例としての判定部２１３ｃと、第１指示部の一例としての指示部２１３ｄとを有する。この判定部２１３ｃおよび指示部２１３ｄは、それぞれ、ソフトウェアで構成されている。
【０１０８】
判定部２１３ｃは、ドップラーセンサ１１の設置場所を示す信号をユニット制御部２１３が受けたとき、上記設置場所が上記所定の場所と一致するか否かを判定する。上記信号は、スマートフォン３０で生成され、無線アクセスポイント２０および通信部１４を介して、ユニット制御部２１３に到達する。なお、図１７の見取り図と同様の見取り図をタッチパネル３１の画面に表示させ、この画面内においてドップラーセンサ１１の設置場所をタッチすると、上記信号が生成されるようにしてもよい。
【０１０９】
指示部２１３ｄは、判定部２１３ｃによって、ドップラーセンサ１１の設置場所が上記所定の場所と一致しないと判定されたとき、上記設置場所の変更を促すための報知をするようにスマートフォン３０に指示する。例えば、上記所定の場所が部屋の角部である場合、ドップラーセンサ１１の設置場所が部屋の中央部であるとき、スマートフォン３０への報知指示が行われる。
【０１１０】
上記構成のセンサユニットによれば、ドップラーセンサ１１の設置場所を示す信号がユニット制御部２１３に到達したとき、判定部２１３ｃは、上記信号に基づいて、ドップラーセンサ１１の設置場所が上記所定の場所と一致するか否かを判定する。このとき、ドップラーセンサ１１の設置場所が上記所定の場所と一致しないと判定されると、指示部２１３ｄはドップラーセンサ１１の設置場所の変更を促すための報知をするようにスマートフォン３０に指示する。その結果、例えば、「センサの設置場所は部屋の角部にしてください。」の文字がタッチパネル３１の画面に表示される。したがって、ドップラーセンサ１１の設置場所が不適切な状態でドップラーセンサ１１が使用され続ける可能性を下げることができる。
【０１１１】
上記第２実施形態では、指示部２１３ｄの指示により、例えば、「センサの設置場所は部屋の角部にしてください。」の文字がタッチパネル３１の画面に表示されていたが、例えば、「センサの設置場所は部屋の角部にしてください。」の音声がスマートフォン３０から出力されるようにしてもよい。
【０１１２】
上記第２実施形態では、判定部２１３ｃおよび指示部２１３ｄは、それぞれ、ソフトウェアで構成されていたが、少なくとも一方が、ハードウェアで構成されるようにしてもよい。
【０１１３】
〔第３実施形態〕
図１５は、本開示の第３実施形態のセンサユニット３１０のブロック図である。なお、以下の説明において、上記第１実施形態の構成部と同一構成部は、上記第１実施形態の構成部の参照番号と同一参照番号を付す。
【０１１４】
センサユニット３１０は、上記第１実施形態とは異なる記憶部３１２およびユニット制御部３１３を備えている。なお、センサユニット３１０は、検出装置の一例である。また、ユニット制御部３１３は、制御装置の一例である。
【０１１５】
記憶部３１２には、記憶部１２と同様に、スマートフォン３０に入力される部屋の種類と、この種類に対応付けされた距離との対を、予め複数記憶させている。また、記憶部３１２には、後述する判定部３１３ｅの判定の基準となる所定の方向(例えば、部屋の対角線に沿った方向など)を予め記憶させている。また、記憶部３１２は、例えば、フラッシュメモリなどの書き換え可能な不揮発性の半導体メモリの少なくとも一部で構成される。
【０１１６】
ユニット制御部３１３は、マイクロコンピュータ、入出力回路などからなって、ドップラーセンサ１１、記憶部３１２および通信部１４を制御する。このユニット制御部３１３は、選択部１３ａと、調整部１３ｂと、第２判定部の一例としての判定部３１３ｅと、第２指示部の一例としての指示部３１３ｆとを有する。この判定部３１３ｃおよび指示部３１３ｆは、それぞれ、ソフトウェアで構成されている。
【０１１７】
判定部３１３ｅは、ドップラーセンサ１１の検出方向を示す信号をユニット制御部３１３が受けたとき、上記検出方向が上記所定の方向と一致するか否かを判定する。上記信号は、スマートフォン３０で生成され、無線アクセスポイント２０および通信部１４を介して、ユニット制御部３１３に到達する。なお、図１７の見取り図と同様の見取り図をタッチパネル３１の画面に表示させ、この画面内において矢印の画像でドップラーセンサ１１の検出方向を指定すると、上記信号が生成されるようにしてもよい。なお、ドップラーセンサ１１の検出方向の定義は、上記第１実施形態で説明した定義と同じである。
【０１１８】
指示部３１３ｆは、判定部３１３ｅによって、ドップラーセンサ１１の検出方向が上記所定の方向と一致しないと判定されたとき、上記検出方向の変更を促すための報知をするようにスマートフォン３０に指示する。例えば、上記所定の方向が部屋の対角線に沿った方向である場合、ドップラーセンサ１１の検出方向が部屋の壁面に沿った方向と一致するとき、スマートフォン３０への報知指示が行われる。
【０１１９】
上記構成のセンサユニットによれば、ドップラーセンサ１１の検出方向を示す信号がユニット制御部３１３に到達したとき、判定部３１３ｅは、上記信号に基づいて、ドップラーセンサ１１の検出方向が上記所定の方向と一致するか否かを判定する。このとき、ドップラーセンサ１１の検出方向が上記所定の方向と一致しないと判定されると、指示部３１３ｆは、ドップラーセンサ１１の検出方向の変更を促すための報知をするようにスマートフォン３０に指示する。その結果、例えば、「センサの検出方向を部屋の対角線に沿うようにしてください。」の文字がタッチパネル３１の画面に表示される。したがって、ドップラーセンサ１１の検出方向が不適切な状態でドップラーセンサ１１が使用され続ける可能性を下げることができる。
【０１２０】
上記第３実施形態では、指示部３１３ｆの指示により、例えば、「センサの検出方向を部屋の対角線に沿うようにしてください。」の文字がタッチパネル３１の画面に表示されていたが、例えば、「センサの検出方向を部屋の対角線に沿うようにしてください。」の音声がスマートフォン３０から出力されるようにしてもよい。
【０１２１】
上記第３実施形態では、判定部３１３ｅおよび指示部３１３ｆは、それぞれ、ソフトウェアで構成されていたが、少なくとも一方が、ハードウェアで構成されるようにしてもよい。
【０１２２】
〔第４実施形態〕
図１６は、本開示の第４実施形態のセンサユニット４１０のブロック図である。なお、以下の説明において、上記第１実施形態の構成部と同一構成部は、上記第１実施形態の構成部の参照番号と同一参照番号を付す。
【０１２３】
センサユニット４１０は、上記第１実施形態とは異なる記憶部４１２およびユニット制御部４１３を備えている。なお、センサユニット４１０は、検出装置の一例である。また、ユニット制御部４１３は、制御装置の一例である。
【０１２４】
記憶部４１２には、記憶部１２と同様に、スマートフォン３０に入力される部屋の種類と、この種類に対応付けされた距離との対を、予め複数記憶させている。また、記憶部４１２は、スマートフォン３０に入力される部屋の種類と、この種類に対応付けされた時間(例えば、２３時００分〜６時００分など)との対を、予め複数記憶させている。
【０１２５】
ユニット制御部４１３は、マイクロコンピュータ、入出力回路などからなって、ドップラーセンサ１１、記憶部４１２および通信部１４を制御する。このユニット制御部４１３は、選択部１３ａと、調整部１３ｂと、選択部４１３ｇと、禁止部４１３ｈとを有する。この選択部４１３ｇおよび禁止部４１３ｈは、それぞれ、ソフトウェアで構成されている。
【０１２６】
選択部４１３ｇは、ユニット制御部４１３が信号を受け、この信号が部屋の種類を示すとき、記憶部１２が記憶する複数の時間の中から、上記信号が示す部屋の種類に対応付けされた時間を選択する。
【０１２７】
禁止部４１３ｈは、選択部４１３ｇによって選択された時間において、ドップラーセンサ１１による情報(ドップラーセンサ１１から人までの距離、人の体動、脈拍、呼吸など)の検出を禁止する。逆に言えば、禁止部４１３ｈは、選択部４１３ｇによって選択された時間以外の時間だけ、ドップラーセンサ１１が人に関する情報を検出するように、ドップラーセンサ１１を制御する。
【０１２８】
上記構成のセンサユニット４１０では、禁止部４１３ｈによって、選択部４１３ｇによって選択された時間は、ドップラーセンサ１１が人に関する情報を検出しないので、その情報の検出が過度に行われないようにすることができる。したがって、部屋を使用する人のプライバシーを守ることができる。
【０１２９】
上記第４実施形態では、選択部４１３ｇおよび禁止部４１３ｈは、それぞれ、ソフトウェアで構成されていたが、少なくとも一方がハードウェアで構成されるようにしもよい。
【０１３０】
〔第５実施形態〕
図１７は、本開示の第５実施形態のセンサユニット５１０のブロック図である。なお、以下の説明において、上記第１実施形態の構成部と同一構成部は、上記第１実施形態の構成部の参照番号と同一参照番号を付す。
【０１３１】
センサユニット５１０は、上記第１実施形態とは異なるユニット制御部５１３を備えている。なお、センサユニット５１０は、検出装置の一例である。また、ユニット制御部５１３は、制御装置の一例である。
【０１３２】
ユニット制御部５１３は、マイクロコンピュータ、入出力回路などからなって、ドップラーセンサ１１、記憶部１２および通信部１４を制御する。このユニット制御部５１３は、選択部１３ａと、調整部１３ｂと、第３判定部の一例としての判定部５１３ｉと、第３指示部の一例としての指示部５１３ｊとを有する。この判定部５１３ｉおよび指示部５１３ｊは、それぞれ、ソフトウェアで構成されている。
【０１３３】
判定部５１３ｉは、ドップラーセンサ１１が検出した情報(例えば、人の心拍、呼吸など)から、人が眠っているか否かを判定する。
【０１３４】
指示部５１３ｊは、判定部５１３ｉによって人が眠っていると判定され、かつ、その人が居る部屋の種類がリビングルームであるとき、人が仮眠、昼寝または在室しているとの内容を報知するようにスマートフォン３０に指示する。
【０１３５】
上記構成のセンサユニット５１０では、判定部５１３ｉによって人が眠っていると判定され、かつ、その人が居る部屋の種類がリビングルームであるとき、指示部５１３ｊの指示により、スマートフォン３０のタッチパネル３１は、人が仮眠、昼寝または在室しているとの内容を文字またはアイコンで表示することができる。その結果、リビングルーム内の人の状態をスマートフォン３０で適切に伝えることができる。
【０１３６】
通常、人は、リビングルームにおいて、仮眠または昼寝といった短時間の睡眠をとるぐらいで、長時間の睡眠をとることは少ない。したがって、仮に、リビングルームで検出されたとき、単に睡眠とユーザに伝えたとしたら、その睡眠は長時間の睡眠としてユーザに伝わる可能がある。
【０１３７】
上記第５実施形態では、判定部５１３ｉおよび指示部５１３ｊは、それぞれ、ソフトウェアで構成されていたが、少なくとも一方が、ハードウェアで構成されるようにしてもよい。
【０１３８】
〔第６実施形態〕
図１８は、本開示の第６実施形態のセンサユニット６１０のブロック図である。なお、以下の説明において、上記第１実施形態の構成部と同一構成部は、上記第１実施形態の構成部の参照番号と同一参照番号を付す。
【０１３９】
センサユニット６１０は、上記第１実施形態とは異なるユニット制御部６１３を備えている。なお、センサユニット６１０は、検出装置の一例である。また、ユニット制御部６１３は、制御装置の一例である。
【０１４０】
ユニット制御部６１３は、マイクロコンピュータ、入出力回路などからなって、ドップラーセンサ１１、記憶部１２および通信部１４を制御する。このユニット制御部６１３は、選択部１３ａと、調整部１３ｂと、第４指示部の一例としての指示部６１３ｋとを有する。また、ユニット制御部６１３は、部屋が複数あって、センサユニット６１０が設置されている部屋を除く各部屋(以下、「他の各部屋」と言う。)にドップラーセンサがある場合、他の各部屋のドップラーセンサから、人に関する情報を示す信号を、通信部１４を介して受ける。また、指示部６１３ｋは、それぞれ、ソフトウェアで構成されている。
【０１４１】
指示部６１３ｋは、部屋が複数あって、他の各部屋にドップラーセンサがある場合、ドップラーセンサ１１と、他の各部屋のドップラーセンサとの全てが、人に関する情報(ドップラーセンサ１１から人までの距離、人の体動、脈拍、呼吸など)を検出できないとき、居住者が外出しているとの内容を報知するようにスマートフォン３０に指示する。ここで、居住者とは、センサユニット６１０が設置されている部屋と、他の各部屋とを有する家屋に住んでいる人を指す。
【０１４２】
上記構成のセンサユニット６１０では、部屋が複数あって、ドップラーセンサ１１が各部屋に設置されている場合、複数のドップラーセンサ１１の全てが情報を検出できないとき、指示部６１３ｋの指示により、スマートフォン３０のタッチパネル３１は、居住者が外出しているとの内容を文字またはアイコンで表示することができる。したがって、居住者の外出が分かり易くなる。
【０１４３】
上記第６実施形態では、指示部６１３ｋは、それぞれ、ソフトウェアで構成されていたが、ハードウェアで構成されるようにしてもよい。
【０１４４】
〔第７実施形態〕
図１７は、本開示の第７実施形態のセンサユニット７１０のブロック図である。なお、以下の説明において、上記第１実施形態の構成部と同一構成部は、上記第１実施形態の構成部の参照番号と同一参照番号を付す。
【０１４５】
センサユニット７１０は、上記第１実施形態とは異なるユニット制御部７１３を備えている。なお、センサユニット７１０は、検出装置の一例である。また、ユニット制御部７１３は、制御装置の一例である。
【０１４６】
ユニット制御部７１３は、マイクロコンピュータ、入出力回路などからなって、ドップラーセンサ１１、記憶部１２および通信部１４を制御する。このユニット制御部７１３は、選択部１３ａと、調整部１３ｂと、第２調整部の一例としての調整部７１３ｌとを有する。また、ユニット制御部７１３は、通信部１４の通信可能な範囲内に他のドップラーセンサがあるとき、その他のドップラーセンサのチャンネルを示す信号を、通信部１４を介して受ける。また、調整部７１３ｌは、ソフトウェアで構成されている。
【０１４７】
調整部７１３ｌは、通信部１４の通信可能な範囲内に他のドップラーセンサがあるとき、その他のドップラーセンサのチャンネルを示す信号に基づいて、他のドップラーセンサと干渉しないように、ドップラーセンサ１１のチャネルを調整する。
【０１４８】
上記構成のセンサユニット７１０では、他のドップラーセンサがある場合、調整部７１３ｌの調整により、ドップラーセンサ１１のチャンネルを他のドップラーセンサのチャンネルと異ならせることができる。したがって、ユーザがドップラーセンサ１１のチャンネルを調整しなくて済む。
【０１４９】
上記第６実施形態では、調整部７１３ｌは、ソフトウェアで構成されていたが、ハードウェアで構成されるようにしてもよい。
【０１５０】
〔第８実施形態〕
図１８は、本開示の第８実施形態の空調システムの外観図である。
【０１５１】
上記空調システムは、室内ユニット８００と、室内ユニット８００とは別体のセンサユニット１０とを備えている。室内ユニット８００は、図示しない室外ユニットと接続されており、室内ユニット８００と室外ユニットで空気調和機を構成している。
【０１５２】
また、室内ユニット８００は、室内の壁面１の上側に設置され、壁面１に設けられたコンセント２に電源ケーブル８１０を介して接続されている。
【０１５３】
また、センサユニット１０は、壁面１の室内ユニット８００よりも下側に設置されている。このセンサユニット１０は、室内ユニット８００とケーブル８５０を介して接続されている。
【０１５４】
図１９は、上記空調システムのブロック図である。
【０１５５】
室内ユニット８００は、電源部８０１と、送風ファン(図示せず)などを制御する室内制御部８０２とを有する。
【０１５６】
室内ユニット８００とセンサユニット１０とを接続するケーブル８５０は、信号線８５０ａと電源線８５０ｂを有する。ユニット制御部１３は、室内制御部８０２と信号線８５０ａを介して接続されている。また、センサユニット１０は、室内ユニット８００の電源部８０１から電源線８５０ｂを介して給電される。
【０１５７】
上記構成の空調システムでは、部屋内の人に関する情報(ドップラーセンサ１１から人までの距離、人の体動、脈拍、呼吸など)をセンサユニット１０から受けた室内ユニット８００は、各情報に基づいて最適な空気調和を行える。例えば、室内ユニット８００の設定温度や吹出空気の方向を最適に制御することができる。
【０１５８】
上記第８実施形態では、センサユニット１０と室内ユニット８００とをケーブル８５０を介して接続したが、ケーブルなしでセンサユニット１０と室内ユニット８００との間で無線ＬＡＮなどにより通信を行うようにしてもよい。このようにする場合、センサユニット１０は、他の電源から電力が供給される。
【０１５９】
上記第８実施形態では、検出装置を備えた空調システムについて説明したが、床暖房装置、照明装置、換気装置、空気清浄装置などの少なくとも１つと検出装置とで構成されたシステムにこの発明を適用してもよい。
【０１６０】
本開示の具体的な実施の形態について説明したが、本開示は上記第１〜第８実施形態およびその変形例に限定されるものではなく、本開示の範囲内で種々変更して実施することができる。例えば、上記第１〜第８実施形態で記載した内容の一部を削除または置換したものを、本開示の一実施形態としてもよい。また、上記第１〜第８実施形態の記載内容において、一実施形態の記載内容と、他の実施形態の記載内容とを、組み合わせて、本開示の一実施形態としもよい。
【符号の説明】
【０１６１】
１０，２１０，３１０，４１０，５１０，６１０，７１０  センサユニット
１１  ドップラーセンサ
１２  記憶部
１３，２１３，３１３，４１３，５１３，６１３，７１３  ユニット制御部
１３ａ，２１３ａ，３ａ１３ａ，４１３ａ，５１３ａ，６１３ａ，７１３ａ  ユニット制御部
１３ａ，４１３ｇ  選択部
１３ｂ，７１３ｌ  調整部
１４  通信部
２０  無線アクセスポイント
３０  スマートフォン
２１３ｃ，３１３ｅ，５１３ｉ  判定部
２１３ｄ，３１３ｆ，５１３ｊ，６１３ｋ  指示部
４００  室内ユニット
４１３ｈ  禁止部
８００  室内ユニット
【図１】
2019207206.tif 000003
【図２】
2019207206.tif 000004
【図３】
2019207206.tif 000005
【図４】
2019207206.tif 000006
【図５】
2019207206.tif 000007
【図６】
2019207206.tif 000008
【図７】
2019207206.tif 000009
【図８】
2019207206.tif 000010
【図９】
2019207206.tif 000011
【図１０】
2019207206.tif 000012
【図１１】
2019207206.tif 000013
【図１２】
2019207206.tif 000014
【図１３】
2019207206.tif 000015
【図１４】
2019207206.tif 000016
【図１５】
2019207206.tif 000017
【図１６】
2019207206.tif 000018
【図１７】
2019207206.tif 000019
【図１８】
2019207206.tif 000020
【図１９】
2019207206.tif 000021
【図２０】
2019207206.tif 000022
【図２１】
2019207206.tif 000023